(57)【要約】      （修正有）【課題】作業効率の向上及び製造コストの削減化を図ることができる縦長重量物の転倒防止板及び該転倒防止板用カバー体を提供する。【解決手段】少なくとも先端部１ａ側と後端部１ｂ側に自動販売機、縦長の機器などの縦長重量物の脚を係止するための固定金具用の複数個の取付け孔１ｃを有する横長略長方形状のベース鉄板１と、このベース鉄板１の外面をカバーする横長略長方形状のカバー体Ｙとから成る縦長重量物の転倒防止板Ｘに於いて、カバー体Ｙの裏面１０を薄い略四角又は略台形のいずれかの下向き凹所形状１１に形成すると共に四方の角部１２にそれぞれ丸味をもたせ、カバー体Ｙの先端部１４側から後端部１５側に取付け孔１ｃと連通する筋条長孔２０を少なくとも１本有する。【選択図】図１
0003214133.tif 000002
【実用新案登録請求の範囲】
【請求項１】
少なくとも先端部側と後端部側に自動販売機、縦長の機器などの縦長重量物の脚を係止するための固定金具用の複数個の取付け孔を有する横長略長方形状のベース鉄板と、このベース鉄板の外面をカバーする横長略長方形状のカバー体とから成る縦長重量物の転倒防止板に於いて、前記カバー体の裏面を薄い略四角又は略台形のいずれかの下向き凹所形状に形成すると共に、該カバー体は、その四方の角部にそれぞれ丸味をもたせ、該カバー体の先端部側から後端部側に前記取付け孔と連通する筋条長孔を少なくとも１本有する、縦長重量物の転倒防止板。
【請求項２】
請求項１の縦長重量物の転倒防止板に於いて、前記筋条長孔は、前記カバー体の平坦上面の長手方向の側縁部寄りの部位に、該側縁部に沿って形成された第１長孔と、この第１長孔の内側に該第１長孔と平行に形成された第２長孔とから成ることを特徴とする縦長重量物の転倒防止板。
【請求項３】
請求項２の縦長重量物の転倒防止板に於いて、前記筋条長孔を構成する第１長孔又は第２長孔の少なくともいずれかに細長状嵌合片が嵌入されていることを特徴とする縦長重量物の転倒防止板。
【請求項４】
請求項１の縦長重量物の転倒防止板に於いて、カバー体は、化粧鋼板又は化粧樹脂板のいずれかであることを特徴とする縦長重量物の転倒防止板。
【請求項５】
請求項４の縦長重量物の転倒防止板に於いて、カバー体が化粧鋼板である場合には、その筋条長孔の内周面にはフッ素樹脂でコーティングされた錆防止層が設けられていることを特徴とする縦長重量物の転倒防止板。
【請求項６】
少なくとも先端部側と後端部側に自動販売機、縦長の機器などの縦長重量物の脚を係止するための固定金具用の複数個の取付け孔を有する横長略長方形状のベース鉄板の外面をカバーする縦長重量物の転倒防止板用カバー体に於いて、前記転倒防止板用カバー体は、前記ベース鉄板に外嵌合するように化粧鋼板又は化粧樹脂板のいずれかで扁平状横長略長方形状に成形され、その裏面には薄い略四角又は略台形のいずれかに形成された下向き凹所が形成され、また四方の角部はそれぞれ丸味を有し、さらに、先端部側から後端部側に前記取付け孔と連通する筋条長孔を少なくとも１本有する、縦長重量物の転倒防止板用カバー体。
【請求項７】
請求項６の縦長重量物の転倒防止板用カバー体に於いて、前記筋条長孔を構成する第１長孔又は第２長孔の少なくともいずれかに細長状嵌合片が嵌入されていることを特徴とする縦長重量物の転倒防止板用カバー体。
【考案の詳細な説明】
【技術分野】
【０００１】
本考案は、自動販売機の転倒防止板に用いられる縦長重量物の転倒防止板及び該転倒防止板用カバー体に関する。
【背景技術】
【０００２】
特許文献１の図１には、自動販売機用転倒防止板の一例が開示されている。この種の自動販売機用転倒防止板は、普通一般に長尺状の鉄板であり、少なくとも先端部側と後端部側に自動販売機の脚を係止するための固定金具用の取付け孔が設けられている（特許文献１参照）。また、上記転倒防止板には、その機能をそのまま減ずることなく、塗装代用のカバー体でもって、その表面と、該表面と直交する周側面と裏面をそれぞれ全体的に被覆するという製造工程が開示されている。
【０００３】
この製造工程で得られた自動販売機用転倒防止板が中古品の場合には、専用ブースの確保、塗料やその保管、廃材処理等の問題点を解決することができるという利点があるものの、下面シート、該下面シートに対向する上面シートをそれぞれベース板としての転倒防止板の表面にそれぞれ接着層を介して貼り付け、かつ、ベース板から食み出た周縁部分をカッターで上手に切り取らなければならないので、作業効率が悪い、製造コストがかかる等の問題点があった。
【先行技術文献】
【特許文献】
【０００４】
【特許文献１】実用新案登録第３１９８２３号公報
【考案の概要】
【考案が解決しようとする課題】
【０００５】
本考案の縦長重量物の転倒防止板の主たる課題は、特許文献１と同様に鉄製転倒防止板をカバーすることを前提とし、新品又は中古品の如何を問わず、鉄製転倒防止板の機能をそのまま減ずることなく、その表面の全部又は一部に錆防止塗装を施すことなく、該表面を塗装代用のカバー体で被覆するという製造工程で、前記カバー体を極めて簡単に鉄製転倒防止板に被せることができ、これにより、作業効率の向上及び製造コストの削減化を図ることである。また長年使用することによって、取付け孔を有する鉄製転倒防止板に赤錆びが発生しても、外観上、その錆びている状態を直接目視することができない縦長重量物の転倒防止板用カバー体及び該カバー体を備える縦長重量物の転倒防止板を提供することである。
【０００６】
本考案の第２の課題は、縦長重量物（例えば自動販売機）の下面に固定的に取付ける複数本の脚を、金属製固定金具を介して固定するために、前記鉄製転倒防止板の先端部側と後端部側にそれぞれ形成した前後の取付け孔（例えばネジ穴）の態様や形成位置が多少相違していても、これらの前後の取付け孔の位置への対応が可能な縦長重量物の転倒防止板用カバー体を提供することである。さらに、転倒防止板用カバー体の周縁部で指や足を切る等の怪我をしないようにすることである。
加えて、鉄製転倒防止板を現場で実際に使用する場合に於いて、取付け孔の態様如何によって、一方又は他方の取付け孔を使用する必要性がない場合に、雨水侵入防止の観点から、使用しない方の取付け孔を簡単に塞ぐことができることである。また耐食性に優れていることである。
【課題を解決するための手段】
【０００７】
本考案の縦長重量物の転倒防止板は、少なくとも先端部側と後端部側に自動販売機、縦長の機器などの縦長重量物の脚を係止するための固定金具用の複数個の取付け孔を有する横長略長方形状のベース鉄板と、このベース鉄板の外面をカバーする横長略長方形状のカバー体とから成る縦長重量物の転倒防止板に於いて、前記カバー体の裏面を薄い略四角又は略台形のいずれかの下向き凹所形状に形成すると共に、四方の角部にそれぞれ丸味をもたせ、該カバー体の先端部側から後端部側に前記取付け孔と連通する筋条長孔を少なくとも１本有する。
【０００８】
上記構成に於いて、筋条長孔は、前記カバー体の平坦上面の長手方向の側縁部寄りの部位に、該側縁部に沿って形成された第１長孔と、この第１長孔の内側に該第１長孔と平行に形成された第２長孔とから成る。また筋条長孔を構成する第１長孔又は第２長孔の少なくともいずれかに細長状嵌合片が嵌入されている。またカバー体は、化粧鋼板又は化粧樹脂板のいずれかであることが好ましい。さらにカバー体が化粧鋼板である場合には、その筋条長孔の内周面にはフッ素樹脂でコーティングされた錆防止層が設けられていることが好ましい。
【０００９】
また本考案の転倒防止板用カバー体は、少なくとも先端部側と後端部側に自動販売機、縦長の機器などの縦長重量物の脚を係止するための固定金具用の複数個の取付け孔を有する横長略長方形状のベース鉄板の外面をカバーする縦長重量物の転倒防止板用カバー体に於いて、前記転倒防止板用カバー体は、前記ベース鉄板に外嵌合するように、化粧鋼板又は化粧樹脂板のいずれかで扁平状横長略長方形状に成形され、その裏面には薄い略四角又は略台形のいずれかに形成された下向き凹所が形成され、また四方の角部はそれぞれ丸味を有し、さらに、先端部側から後端部側に前記取付け孔と連通する筋条長孔を少なくとも１本有する。これらの各独立項に於いて、前記筋条長孔を構成する第１長孔又は第２長孔の少なくともいずれかに細長状嵌合片を嵌入することができる。
【考案の効果】
【００１０】
（ａ）請求項１及び請求項６に記載の各考案は、少なくとも先端部側と後端部側に自動販売機、縦長の機器などの縦長重量物の脚を係止するための固定金具用の複数個の取付け孔を有する横長略長方形状のベース鉄板と、このベース鉄板の外面をカバーする横長略長方形状のカバー体とから成る縦長重量物の転倒防止板に於いて、前記カバー体の裏面を薄い略四角又は略台形のいずれかの下向き凹所形状に形成すると共に、四方の角部にそれぞれ丸味をもたせ、該カバー体の先端部側から後端部側に前記取付け孔と連通する筋条長孔を少なくとも１本有するので、特許文献１と同様に鉄製転倒防止板をカバーすることを前提とし、新品又は中古品の如何を問わず、鉄製転倒防止板の機能をそのまま減ずることなく、その表面の全部又は一部に錆防止塗装を施すことなく、該表面を塗装代用のカバー体で被覆するという製造工程で、前記カバー体を極めて簡単に鉄製転倒防止板に被せることができ、これにより、作業効率の向上及び製造コストの削減化を図ることである。また長年使用することによって、取付け孔を有する鉄製転倒防止板に赤錆びが発生しても、外観上、その錆びている状態を直接目視することができない縦長重量物の転倒防止板用カバー体及び該カバー体を備える縦長重量物の転倒防止板を提供することができる。
付言すると、鉄製転倒防止板が中古品の場合には、特許文献１で指摘したように、専用ブースの確保、塗料やその保管、廃材処理等の問題点を解決しながら鉄製転倒防止板の表面に塗装を施すことにより、新品同様に回復させなければならない（新たな製造行為の必要性）という問題点があったが、特許文献１と同様の問題点を解決しつつ、作業効率の向上及び製造コストの削減化を実現することができる縦長重量物の転倒防止板及び該転倒防止板用カバー体を提供することができる。
（ｂ）請求項２に記載の考案は、筋条長孔が平坦上面の長手方向の側縁部寄りの部位に、該側縁部に沿って形成された第１長孔と、この第１長孔の内側に該第１長孔と平行に形成された第２長孔とから成るので、縦長重量物（例えば自動販売機）の下面に固定的に取付ける複数本の脚を、金属製固定金具を介して固定するために、前記鉄製転倒防止板の先端部側と後端部側にそれぞれ形成した前後の取付け孔の態様（例えば複数個の取付け孔が長手方向の縁部に沿って平坦上面に一列状に形成されている一方、前記一列状取付け孔と対をなす他方の取付け孔が同じ平面上に「への字状」に形成されている態様、単に平坦上面に一列状に形成されている態様等）やその形成位置が多少相違していても、これらの前後の取付け孔の位置な対応可能な縦長重量物の転倒防止板及び縦長重量物の転倒防止板用カバー体を提供することができる。
（ｃ）請求項３及び請求項７に記載の考案は、前記筋条長孔を構成する第１長孔又は第２長孔の少なくともいずれかに細長状嵌合片が嵌入されているので、実施レベルでは、不要な取付け孔を塞ぐことによって、該不要な取付け孔に雨水、ゴミ等が入り込むのを防止することができる。
（ｄ）請求項４に記載の考案は、カバー体は、化粧鋼板又は化粧樹脂板のいずれかであることから、材質如何を問わず製造することができる。そして、請求項５に記載の考案は、カバー体が化粧鋼板である場合には、その筋条長孔の内周面にはフッ素樹脂でコーティングされた錆防止層が設けられているので、耐食性に優れている。
【図面の簡単な説明】
【００１１】
図１乃至図７は本考案の第１実施形態を示す各説明図、図８乃至図１３は本考案の第２実施形態を示す各説明図、図１４乃至図１５は本考案の第３実施形態を示す各説明図である。
【図１】第１実施形態の分解斜視図。
【図２】第１実施形態の斜視図。
【図３】図２に於ける３−３線拡大断面図。
【図４】図４に於ける要部の拡大図。
【図５】カバー体を裏側から示した斜視図。
【図６】図１に於ける６−６線拡大断面図。
【図７】本考案の一実施形態と、該一実施形態に使用される固定金具、固着具、自動販売機用脚の説明図。
【図８】第２実施形態の分解斜視図（細長状嵌合片も含む）。
【図９】第２実施形態の斜視図。
【図１０】図８に於ける１０−１０線拡大断面図。
【図１１】図８に於ける１１−１１線拡大断面図。
【図１２】図９に於ける１２−１２線拡大断面図。
【図１３】図９に於ける１３−１３線拡大断面図。
【図１４】第３実施形態（他のカバー体の斜視図）。
【図１５】図１４に於ける１５−１５線拡大断面図。
【考案を実施するための形態】
【００１２】
以下、図面を参照にして、本考案の実施形態を説明する。図示しない自動販売機は、所要間隔を有して略水平状態に設置された左右一対の鉄製の転倒防止板（これを「ベース鉄板」とも言う）１と、これらの鉄製転倒防止板の先端部側と後端部側にそれぞれ形成された取付け孔１ｃの位置に配設され、かつ自動販売機の複数本の頭部付き脚２をそれぞれ係止する複数の金属製固定金具３（例えば図７参照）と、該金属製固定金具を、前記取付け孔１ｃを介して鉄製転倒防止板１の上面に固定する複数のボルト４ａとナット４ｂとから成る転倒防止装置により保持されている。なお、前記取付け孔１ｃは、前記ボルト４ａ用のメネジ、貫通小孔等である。
【００１３】
まず、図１乃至図７を参照にして、本考案の一実施形態を説明する。各図に於いて、Ｘは縦長重量物の転倒防止板である。図１及び図２に於いて、転倒防止板Ｘは、化粧鋼板又は化粧樹脂板のいずれかのベース鉄板１と、このベース鉄板の表面をカバーするカバー体Ｙとから成る。
【００１４】
すなわち、ベース鉄板１は、実施形態では、少なくとも先端部１ａ側と後端部１ｂ側に自動販売機、縦長の機器などの縦長重量物の脚２を係止するための固定金具３用の複数個の取付け孔１ｃを有する横長略長方形状に形成されている。
【００１５】
ところで、前記複数個の取付け孔１ｃの態様に関しては、例えば特許文献１に記載の取付け孔と同様であっても良い。付言すると、ベース鉄板１の先端部側と後端部側にそれぞれ形成した前後の取付け孔の態様が、複数個の小孔状の各取付け孔１ｃが長手方向の縁部に沿って平坦上面に一列状に形成されている一方、前記一列状取付け孔１ｃと対をなす他方の取付け孔が同じ平面上に「への字状」に形成されている態様であっても良く、また平坦上面に一列状に形成されている態様のみならず、二列に平行に形成されている態様、さらには、その形成位置が多少相違していても良い。
【００１６】
要するに、二枚のベース鉄板１を、縦長重量物の幅を考慮しながら床面に並べた場合に、少なくとも４本の脚２を含む合計４つの固定金具３でもって縦長重量物を支持することができる位置に複数個の小孔状の各取付け孔１ｃがそれぞれ適宜に形成されていれば良い。
【００１７】
一方、カバー体Ｙは、その裏面１０が薄い略四角又は略台形のいずれかの下向き凹所形状１１に形成されている共に、四方の角部１２にそれぞれ丸味をもたせ、かつ、望ましくはその周側面１３を傾斜状とし、該カバー体の先端部１４側から後端部１５側に取付け孔１ｃと連通する筋条長孔２０を少なくとも１本有する。
【００１８】
したがって、本考案のカバー体Ｙは、少なくとも先端部１４側と後端部１５側に自動販売機、縦長の機器などの縦長重量物の脚２を係止するための固定金具３用の複数個の取付け孔１ｃを有する横長略長方形状のベース鉄板１の外面１ｄをカバーするものである。
【００１９】
該カバー体Ｙは、ベース鉄板１に外嵌合するように、化粧鋼板又は化粧樹脂板のいずれかで扁平状横長略長方形状に成形され、その裏面には薄い略四角又は略台形のいずれかに形成された下向き凹所１１が形成され、また四方の角部１２はそれぞれ丸味を有し、また周側面１３は傾斜状であり、さらに、先端部側から後端部側に取付け孔と連通する筋条長孔２０を少なくとも１本有し、後述する実施形態の如く、好ましくはベース鉄板１の長手方向に列状に形成された平行の二つの筋条長孔２０し、さらに好ましくは三つの筋条長孔や、単数又は複数の筋条長孔２０と共に、平面視単数又は複数の「ヘの字状」の小孔を有する。
【００２０】
上記構成に於いて、転倒防止板Ｘは、前述したベース鉄板１と、このベース鉄板１の表面をカバーする下向き凹所１１を有するカバー体Ｙとから成るので、製造工程の際、新品又は中古品如何を問わず、ベース鉄板１にそのままカバー体Ｙを外嵌合させれば良い。なお、カバー体Ｙはベース鉄板１から簡単に外すことができるが、実施形態如何によっては、特許文献１同様に接着層又は粘着層を介してベース鉄板１にそのままカバー体Ｙを外嵌合しても良い。であるから、製造工程が極めて簡単であり、製造コストを削減することができる。
【００２１】
次に図８乃至図１３は、本考案の第２実施形態を示す各説明図、また図１４及び１５は第３実施形態を示す各説明図である。これらの実施形態は、第１実施形態の主要部を前提にしている。
【００２２】
第２実施形態の転倒防止板Ｘ１の特徴は、筋条長孔２０Ａを二列にした点である。すなわち、筋条長孔２０Ａは、平坦上面１６の長手方向の側縁部１６ａ寄りの部位に該側縁部に沿って形成された第１長孔２１と、この第１長孔２１の内側に該第１長孔と平行に形成された第２長孔２２とから成る。もちろん、実施形態如何によっては、筋条長孔２０Ａを三列にしても良い。
【００２３】
このように構成すると、鉄製転倒防止板の先端部側と後端部側にそれぞれ形成した前後の取付け孔の態様や形成位置が多少相違していても、これらの前後の取付け孔の位置への対応が可能な縦長重量物の転倒防止板用カバー体を提供することができる。
【００２４】
またこの第２実施形態に於いて、さらに他の構成要件を加味している。すなわち第３実施形態は、図９及び図１３で示すように、筋条長孔２０Ａを構成する第１長孔２１又は第２長孔２２の少なくともいずれかに「細長状嵌合片２５」を嵌入した点である。このように構成すると、鉄製転倒防止板Ｘ（Ｘ１）を現場で実際に使用する場合に於いて、取付け孔の態様如何によって、一方又は他方の取付け孔を使用する必要性がない場合に、雨水侵入防止等の観点から、使用しない方の取付け孔を簡単に塞ぐことができる。
【００２５】
また前記第３実施形態は、第１実施形態或いは第２実施形態の主要部をそのまま含み一部を設計変形した点である。一部の変形例として、例えばカバー体Ｙが化粧鋼板である場合には、図１４及び図１５で示すように、その筋条長孔２０（２０Ａ）の内周面２０ａにはフッ素樹脂でコーティングされた錆防止層３０が設けられている。このように錆防止層３０を設けた理由は、耐食性に優れているからに他ならない。
【００２６】
ところで、カバー体Ｙの下面に板状或いは薄型箱状の下面カバーを設けるのが望ましいが、下面カバーを床面に敷設することや、下面カバーとカバー体Ｙを一体的に溶着することは、本考案の主たる課題との関係では本質的事項（限定要素）ではない。
【００２７】
最後にカバー体Ｙに関して若干付言する。カバー体Ｙは、熱処理により、逆トレー形状の積層体（ラミネート）にすることができる。特に図示しないが、例えばＯＰＰ、ＰＥＴ、ナイロン等で出来ている表基材と、アルミ箔で出来ている中間基材と、ＬＤＰＥ、ＬＬＤＰＥ、ＣＰＰ等で出来ているシーラント層とで構成する。また、硬質性の合成樹脂材料を用いて逆トレー形状の単層体に成形し、該単層体の内壁面の一部或いは全部に接着層又は粘着層を塗布しても良い。さらには、方形の金属板を適宜に折り曲げて成形することもできる。
【産業上の利用可能性】
【００２８】
本考案は、例えば自動販売機用の転倒防止板や該転倒防止板用カバー体として用いられる。
【符号の説明】
【００２９】
Ｘ、Ｘ１…転倒防止板、      
Ｙ…カバー体Ｙ          
１…ベース鉄板、
１ａ…先端部、
１ｂ…後端部、
１ｃ…取付け孔、
１０…裏面、
１１…下向き凹所、
１２…角部、
１３…周側面、
１４…カバー体の先端部、
１５…カバー体の後端部、
１６…平坦上面、
２０Ａ、２０…筋条長孔、
２１…第１長孔、
２２…第２長孔、
２５…細長状嵌合片、
３０…錆防止層。
【図１】
0003214133.tif 000003
【図２】
0003214133.tif 000004
【図３】
0003214133.tif 000005
【図４】
0003214133.tif 000006
【図５】
0003214133.tif 000007
【図６】
0003214133.tif 000008
【図７】
0003214133.tif 000009
【図８】
0003214133.tif 000010
【図９】
0003214133.tif 000011
【図１０】
0003214133.tif 000012
【図１１】
0003214133.tif 000013
【図１２】
0003214133.tif 000014
【図１３】
0003214133.tif 000015
【図１４】
0003214133.tif 000016
【図１５】
0003214133.tif 000017